(57)【要約】【課題】簡単な光学構成で、眼底の立体撮影と単眼撮影ができ、効率的な画像管理ができる眼科撮影装置を提供する。【解決手段】被検眼の眼底１ａの像が視野絞り３５の近傍に結像され、その眼底像が、レンズ３７により観察用ＣＣＤ４０に結像されてモニタ４１で観察されるとともに、変倍レンズ４７ａ、４７ｂにより撮影用ＣＣＤ５３に結像され、眼底像が撮影される。立体撮影時には、２孔絞り５０と分割プリズム５１が挿入され、それに連動して高倍率のレンズ４７ｂと、立体用視野絞り３９が光路に挿入される。このような構成では、簡単な光学調整で、同じ撮像手段で、眼底の立体撮影と単眼撮影が可能となり、また、一回の撮影で立体撮影に必要な２枚の画像が得られるので、効率的な画像管理ができる。【選択図】図２
2006075449.tif 000002
【特許請求の範囲】
【請求項１】
被検眼視度の個体差による結像位置のずれを補正するために光軸に沿って移動可能なレンズを備え、被検眼の眼底を視野絞り近傍に結像する第１の光学系と、
前記視野絞りの近傍に結像した眼底像を少なくとも２種類の倍率で再結像する第２の光学系と、
前記視野絞りの近傍に結像した眼底像を第２の光学系と異なる光路で再結像する第３の光学系と、
前記第２の光学系による眼底像の再結像位置に配置した撮像手段と、
前記第３の光学系による眼底像の再結像位置に配置した観察手段と、
前記第２の光学系の光路に挿脱可能に配置した立体撮影用に光束を分割する分割光学素子と、
を備えたことを特徴とする眼科撮影装置。
【請求項２】
前記分割光学素子が、複数開口絞りと分割プリズムから構成されることを特徴とする請求項１に記載の眼科撮影装置。
【請求項３】
前記複数開口絞りが光路に挿入される位置が、被検眼前眼部と共役な位置の近傍であることを特徴とする請求項１又は２に記載の眼科撮影装置。
【請求項４】
前記分割光学素子の光路への挿入に連動して、第２の光学系の倍率が所定の倍率に設定されることを特徴とした請求項１から３のいずれか１項に記載の眼科撮影装置。
【請求項５】
前記分割光学素子の光路への挿入に連動して、前記視野絞りの開口部が変化することを特徴とした請求項１から４のいずれか１項に記載の眼科撮影装置。
【請求項６】
前記分割光学素子の光路への挿入に連動して、第１の光学系に配置された撮影絞りの開口部が変化することを特徴とした請求項１から５のいずれか１項に記載の眼科撮影装置。
【請求項７】
前記視野絞りが円形の開口部を有する第１の視野絞りであり、この第１の視野絞りに近接して、円形開口部より小さな矩形の開口部を有する第２の視野絞りが光路に挿入されることを特徴とする請求項１から６のいずれか１項に記載の眼科撮影装置。
【請求項８】
前記第２の視野絞りの矩形開口部は、その像が、撮像手段の撮像範囲の約半分の大きさで結像されるような大きさに設定されることを特徴とする請求項７に記載の眼科撮影装置。
【請求項９】
前記第２の視野絞りの矩形開口部の周辺に赤外光のみを透過する領域が設けられ、該領域を通過した赤外光が第３の光学系を介して観察手段に入射され、前記領域の外周が第１の視野絞りの円形開口部の外周とほぼ等しい大きさであることを特徴とする請求項７又は８に記載の眼科撮影装置。
【請求項１０】
前記分割光学素子の光路への挿入に連動して、内部固視標の投影位置が変化することを特徴とする請求項１から９のいずれか１項に記載の眼科撮影装置。
【請求項１１】
前記複数開口絞り又は分割プリズムが光路に挿入されたかどうかを、撮影条件として撮像される画像情報に関連して記録保存することを特徴とする請求項２から１０のいずれか１項に記載の眼科撮影装置。
【請求項１２】
前記分割プリズムは、色収差の発生を抑えるために、分散の異なる２種類の光学ガラスから構成されることを特徴とする請求項２から１１のいずれか１項に記載の眼科撮影装置。
【発明の詳細な説明】
【技術分野】
【０００１】
本発明は、眼科撮影装置、更に詳細には、眼底の単眼撮影並びに立体撮影が可能な眼科撮影装置に関する。
【背景技術】
【０００２】
従来から、対物レンズを介して入射する眼底からの反射光を分割し、分割された光束を一対の結像光学系で結像して左右一対の眼底像を撮影する立体撮影眼底カメラが知られている（特許文献１）。
【０００３】
また、照明光路に赤外光を透過させる赤外フィルタを設け、無散瞳で眼底の立体撮影を可能とした眼底カメラ（特許文献２）、分割された光束の左右の位置を入れ替え、眼底像を正立で立体観察できる眼底カメラ（特許文献３）、瞳共役の位置に立体視用の複数開口絞りを挿脱させ、１台で双眼撮影と単眼撮影可能な眼底カメラ（特許文献４）、瞳共役絞りの立体視用の２つの開口の幅を瞳孔の大きさに応じて可変にし、一定光量で眼底を露光できる立体視眼底カメラ（特許文献５）、立体撮影用に円柱レンズを使用した眼底カメラ（特許文献６）、眼底共役位置と瞳共役位置の絞りを可変にでき、同一映像媒体に立体撮影と単眼撮影が可能な眼底カメラ（特許文献７）などが知られている。
【特許文献１】実公昭５７−２０１６９号公報
【特許文献２】特開平６−１１４０１１号公報
【特許文献３】特開平４−７１５２８号公報
【特許文献４】特開平５−２４５１０９号公報
【特許文献５】特開平２−５９２２号公報
【特許文献６】特開平１０−１６５３７２号公報
【特許文献７】特開平１１−２９９７３９号公報
【発明の開示】
【発明が解決しようとする課題】
【０００４】
しかしながら、従来の立体撮影可能な眼底カメラでは、立体カメラ専用機または立体撮影用に専用の撮像素子が必要であったり、立体撮影は一般的に高倍率で行うため、アライメントが困難である、という問題があり、また、立体撮影の視差確保だけの目的で、リングスリットや穴あきミラーの切換機構が必要になる、という問題があった。
【０００５】
更に、従来では、立体撮影用の左右別々の２光路にレンズを配置する必要があったため、コストが高くなるだけでなく、光学調整が複雑で調整に時間がかかるという問題があった。
【０００６】
本発明は、このような問題点を解決するためになされたもので、簡単な光学構成で、眼底の立体撮影と単眼撮影ができ、効率的な画像管理ができる眼科撮影装置を提供することを課題とする。
【課題を解決するための手段】
【０００７】
本発明の眼科撮影装置は、
被検眼視度の個体差による結像位置のずれを補正するために光軸に沿って移動可能なレンズを備え、被検眼の眼底を視野絞り近傍に結像する第１の光学系と、
前記視野絞りの近傍に結像した眼底像を少なくとも２種類の倍率で再結像する第２の光学系と、
前記視野絞りの近傍に結像した眼底像を第２の光学系と異なる光路で再結像する第３の光学系と、
前記第２の光学系による眼底像の再結像位置に配置した撮像手段と、
前記第３の光学系による眼底像の再結像位置に配置した観察手段と、
前記第２の光学系の光路に挿脱可能に配置した立体撮影用に光束を分割する分割光学素子と、
を備えたことを特徴とする。
【発明の効果】
【０００８】
本発明では、簡単な光学調整で、同じ撮像手段で、眼底の立体撮影と単眼撮影が可能となり、また、一回の撮影で立体に必要な２枚の画像が得られるので、効率的な画像管理ができる。
【発明を実施するための最良の形態】
【０００９】
本発明は、一回の撮影で立体視用ステレオ撮影が単眼撮影と同じ撮像素子（撮像手段）を用いてできる眼科撮影装置であり、以下に添付図面を参照して本発明を詳細に説明する。
【実施例１】
【００１０】
図１には、本発明の第１の実施例が図示されており、この実施例では眼科撮影装置が無散瞳眼底カメラとして構成される。
【００１１】
図１に示す眼科撮影装置において、装置本体１０には、眼底を照明する照明光学系と、照明された眼底を結像する結像光学系が設けられている。照明光学系では、ハロゲンランプなどの光源１１から発せられた光並びに凹面鏡１２で反射した光は、可視カット赤外透過フィルタ１３を介して赤外光となり、ストロボ１４を通過して拡散板１５に入射して拡散され、被検眼１の前眼部（瞳）１ｂと共役な位置に配置されたリングスリット１６を照明する。このリングスリット１６からの照明光は、レンズ１７、対物レンズ２２の反射を除去するための黒点板１８、ハーフミラー１９、リレーレンズ２０を通過し、中心に穴の開いた穴あき全反射ミラー２１で反射されてから対物レンズ２２を経て、被検眼１の前眼部１ｂより眼底１ａに入射し、眼底１ａを赤外光で照明する。なお、リングスリット１６は、立体撮影時には立体視用の照明絞り（双眼絞り）１６’に入れ替えられる。
【００１２】
眼底１ａからの反射光は、対物レンズ２２を介して受光され、穴あき全反射ミラー２１の穴を通過して撮影絞り３１、フォーカスレンズ３２に入射する。このフォーカスレンズ３２は、光軸に沿って移動可能で被検眼視度の個体差による眼底結像位置のずれを補正する。眼底像は、続いて結像レンズ３３を通過して、ハーフミラー３４で反射され、眼底１ａと共役な位置に配置された視野絞り３５を介して赤外透過可視反射ミラー３６に入射する。
【００１３】
視野絞り（第１の視野絞り）３５は、図３（Ａ）に示したように遮光部３５ａと円形の開口部３５ｂから構成されており、この視野絞り３５に近接して、立体用視野絞り（第２の視野絞り）３９が光路に挿入できるようになっている。立体用視野絞り３９は、図３（Ｂ）に示すように、遮光部３９ａと、赤外光のみを透過させる外周が円形な領域３９ｂと、全ての波長域の光を透過させるくり抜きのスルーな矩形状の開口部３９ｃとからなっており、領域３９ｂの外周は、視野絞り３５の円形開口部３５ｂの外周と同じ大きさになっている。立体用視野絞り３９を光路に視野絞り３５と同軸で挿入すると、立体用視野絞り３９の領域３９ｂの外周が視野絞り３５の円形開口部３５ｂの外周と一致するようになる。
【００１４】
図１に戻って、赤外透過可視反射ミラー３６を透過した赤外光は、ミラー３８で反射され、結像レンズ３７を通過して赤外光に感度を有する赤外ＣＣＤなどで構成される撮像手段（撮像素子）４０に入射され、モニタ４１にその信号が入力される。
【００１５】
また、ミラー３６で反射された可視光は、少なくとも２種類の変倍レンズ４７ａ、４７ｂのいずれかを介して、可視光に感度を有する可視ＣＣＤなどで構成される撮像手段５３で受光され、撮像手段５３で撮像された眼底像は、メモリ５４に記憶することができ、また、外部パソコン（不図示）に取り込まれたり、モニタ４１に表示されたり、あるいはプリンタ（不図示）に出力される。
【００１６】
撮像手段５３に至る光路で、変倍レンズの後には、２孔絞り５０並びに分割プリズム５１からなる立体撮影用の光束分割素子（光束分割手段）が挿脱可能に配置される。その挿入位置は、２孔絞り５０の挿入位置が被検眼前眼部と共役な位置の近傍となるように設定される。２孔絞り５０は、図３（Ｃ）に示したように、２つの開口部５０ａと開口部５０ｂを備えた複数開口絞りで、光束が２孔絞り５０を介して分割プリズム５１に入射し、眼底像が２分割されて立体撮影が可能となる。立体撮影のために、２孔絞り５０並びに分割プリズム５１が光路に挿入された場合には、それに連動して、低倍率の変倍レンズ４７ａから高倍率の変倍レンズ４７ｂに入れ替えられ、また立体用視野絞り３９が光路に挿入される。
【００１７】
なお、２孔絞り５０並びに分割プリズム５１は、光束を図面上で上下に分割するように、図示されているが、実際には、左右方向（紙面に垂直な方向）に分割する。しかし、図面で左右方向に光束を分割する状態を図示するのは、困難であるので、図１では、２孔絞り５０並びに分割プリズム５１は、便宜上、紙面と直角の方向から見たときのものが図示されている。このような図示は、以下の図２、図４、図５についても同様である。
【００１８】
このような結像光学系において、被検眼１の眼底１ａと共役な位置がＲで、また前眼部（特に瞳）と共役な位置がＰで図示されており、視野絞り３５は、対物レンズ２２、フォーカスレンズ３２、結像レンズ３３などで構成される光学系（第１の光学系）に対して眼底共役位置に配置されるので、この光学系による眼底像は視野絞り３５近傍に結像され、また、撮像手段４０の撮像面は、結像レンズ３７（第３の光学系）に関して視野絞り３５と共役な位置に、また撮像手段５３の撮像面は、変倍レンズ４７ａ、４７ｂ（第２の光学系）に関して視野絞り３５と共役な位置に配置されるので、視野絞り３５の眼底像は、結像レンズ３７、並びに変倍レンズ４７ａ、４７ｂで再結像され、撮像手段４０などで構成される観察手段により、眼底像が観察できるとともに、撮像手段５３により、眼底像を撮影することができる。
【００１９】
このような構成において、可視カット赤外透過フィルタ１３が照明光路に挿入されているので、眼底が赤外光で照明され、眼底像が対物レンズ２２、フォーカスレンズ３２、結像レンズ３３により視野絞り３５の位置に結像される。視野絞り３５の眼底像は、赤外透過可視反射ミラー３６を透過して結像レンズ３７により撮像手段４０の撮像面に再結像されるので、眼底像がモニタ４１に白黒画像として表示され、検者はモニタ４１を介して眼底像を無散瞳で観察できる。
【００２０】
なお、照明光学系には、フォーカスドット光源３０が設けられ、この光源３０からの光束がハーフミラー１９を介して眼底１ａに入射され、フォーカスレンズ３２の移動に応じてフォーカスドット位置が変化するので、検者はフォーカスドットを観察することにより被検眼にピントを合わせることができる。また、アライメントの初期段階では、前眼部レンズ４２が挿入されるので、検者は被検眼１の前眼部１ｂの画像をモニタ４１で確認することができる。また、アライメントや合焦操作のときは、複数のＬＥＤ光源４３ａからなる内部固視灯４３のいずれかのＬＥＤ光源４３ａが点灯され、検者は被検者にこの固視灯を注視させることによりアライメントや合焦操作を確実にすることができる。
【００２１】
アライメントが完了すると、シャッタスイッチ４６が操作され、そのシャッタ操作信号が撮像手段５３とメモリ５４に入力され、撮像手段５３が起動されて、眼底の静止画の取り込み動作に入るとともに、シャッタスイッチ４６の操作信号に同期して撮像手段５３からストロボ１４に発光を指示する信号が伝えられるので、ストロボ１４が発光する。ストロボ１４の発光により照明された眼底像は、視野絞り３５の位置に一旦結像されたあと、変倍レンズ４７ａにより撮像手段５３の撮像面に再結像されるので、撮像手段５３により眼底が静止画として撮像される。
【００２２】
この撮像手段５３で撮像された静止画は、メモリ５４に保存され、外部パソコン（不図示）に取り込まれたり、モニタ４１に表示されたり、あるいはプリンタ（不図示）に出力される。あるいはメモリ５４そのものをカートリッジのようにして、装置本体１０から取り外せるように構成し、それを他の機器に挿入したとき、該機器でメモリの内容を読み出すようにすることもできる。
【００２３】
なお、眼底像は、変倍レンズ４７ａ、４７ｂにより変倍撮影でき、そのときの画像が、模式的にＡ、Ｂとして図１の右上に図示されている。Ａは、高倍率の変倍レンズ４７ｂで撮影した眼底像であり、Ｂは低倍率の変倍レンズ４７ａで撮影した眼底像であり、その周辺には斜線で引いた視野絞りの像も撮影されていることがわかる。これにより、検者は、視野絞りの写りを見ることにより、およその撮影倍率を識別することができる。
【００２４】
また、観察光学系に配置された撮像手段４０に入射する像には、変倍作用がなく検者はモニタ４１に同一倍率（好ましくは、変倍レンズ４７ａ、４７ｂによる倍率より小さい倍率）の白黒画像を観察する。このとき、アライメントを行い易くするために、撮像手段５３が撮像する範囲より広い範囲の画像Ｃを、撮像手段４０が撮影できるように、撮像手段４０に至る光学系（第３の光学系）の倍率を設定しておく。これにより、撮像手段４０によるアライメントは変倍レンズ４７ａ（４７ｂ）の変倍にかかわらず常に広角で行うことが可能となる。
【００２５】
以上は、単眼撮影の場合であるが、立体撮影を行う場合には、図２に示すように、２孔絞り５０並びに分割プリズム５１を、第２の光学系の光路に挿入する。２孔絞り５０の挿入位置は、変倍レンズ（４７ａ、４７ｂ）より後で被検眼前眼部１ｂと共役な位置Ｐの近傍とする。そして、その挿入に連動して、変倍レンズとして高倍率の変倍レンズ４７ｂを第２の光学系光路に挿入し、また、視野絞り３５に近接して立体用視野絞り３９を挿入する。また、照明絞りとして、リングスリット１６に代え、立体視用の照明絞り１６’を光路に挿入する。
【００２６】
立体用視野絞り３９が視野絞り３５に近接して光路に挿入されると、立体用視野絞り３９の領域３９ｂの外周が視野絞り３５の円形開口部３５ｂの外周と一致し、領域３９ｂが赤外光のみを透過させるので、可視光に感度を有するＣＣＤ５３側から見た場合、視野絞り（３５、３９）の開口部を変化させる（小さくする）効果を与え、立体撮影時の高倍率に対応させることができる。この場合、２孔絞り５０並びに分割プリズム５１の光路への挿入に連動して、第１の光学系に配置された撮影絞り３１の開口部も可変に、つまり大きくするようにするのが好ましい。
【００２７】
また、立体用視野絞り３９の矩形開口部３９ｃは、眼底像が２孔絞り５０と分割プリズム５１を介して分割されて変倍レンズ４７ｂにより撮像手段５３の位置に結像されたとき、矩形開口部３９ｃの像が撮像手段５３の撮像範囲の約半分の大きさになるような大きさに設定されるので、図２の右上のＡ’に示したように、撮像手段５３により立体視用の左右眼底像１ｃ、１ｄが一回の撮影で取得され、それがメモリ５４に記録されるとともに、外部の記録装置（不図示）に記録保存される。このように、一回の撮影で立体視に必要な２枚の画像が得られるので、撮影のスピードアップ、被検眼縮瞳の防止が向上する。また単眼撮影時と同じ撮像素子５３を使い、単眼撮影時１枚である画面を２分割して２枚の画像（１ｃ、１ｄ）を１枚の画像データとして単眼撮影時と同様に内部あるいは外部の記録装置に記録保存できるので、効率的な画像管理が行える。
【００２８】
また、立体用絞り３９の領域３９ｂは、赤外光のみを透過する領域であり、矩形開口部３９ｃは、すべての帯域の光束を透過させるので、撮像手段４０で撮像され、モニタ４１に表示される観察用の画像には、図２の右上のＣで示したように、矩形開口部３９ｃに対応した矩形の輪郭線３９ｄが表示され、検者は立体撮影時の撮影範囲がどの程度であるかを確認することができる。
【００２９】
また、分割プリズム５１で分割された左右の各光路には、レンズを設けることなく、変倍レンズ４７ｂで眼底像を撮像手段５３に結像できるので、安価な構成になるとともに、光学調整が簡単になるという効果も得られる。
【００３０】
なお、２孔絞り５０と分割プリズム５１の光路への挿入に連動して、内部固視灯４３のＬＥＤ光源４３ａの点灯を選択することにより、固視視標の投影位置を変えるようにする。また、分割プリズム５１は、色収差の発生を抑えるために、分散の異なる２種類の光学ガラスから構成するようにする。
【００３１】
また、２孔絞り５０又は分割プリズム５１が光路に挿入されたかどうかは、立体撮影であるかどうかを示すので、その挿入情報を、撮影条件として撮像される眼底像の画像情報に関連して外部の記憶装置に記録保存するようにする。
【実施例２】
【００３２】
図４には、本発明の第２の実施例が図示されており、この実施例では眼科撮影装置が、無散瞳、散瞳、可視蛍光、赤外蛍光のモード撮影可能な眼底カメラとして構成されており、眼科撮影装置の本体１００に、ファイリング装置１５０とビデオアダプタ１６０が接続されて、ビデオアダプタ１６０の部分を立体撮影に対応させている。
【００３３】
図４において、観察用光源１０１からの光束は、凹面鏡１０２で集光されたあと、撮影用光源であるストロボ１０３、コンデンサーレンズ１０４を経てミラー１０５で反射された後、リレーレンズ１２０、１２１を通過して穴あき全反射ミラー１２２で反射され、この全反射ミラー１２２で反射された光束は対物レンズ１２３により被検眼１の瞳１ｂで結像された後、眼底１ａに入射する。
【００３４】
この照明光学系の光路には、無散瞳時に、赤外透過フィルタ１０６が観察用光源１０１の後に挿入され、またターレット円盤１１０により、標準リングスリット１１１、小瞳孔用リングスリット１１２、蛍光用リングスリット１１３、立体視用の照明絞り１１４のいずれかが挿入され、また、ターレット円盤１１５により、スルーフィルタ１１６、４５０ｎｍから５２０ｎｍの青色光束を通過させる可視蛍光用エキサイタフィルタ１１７、７００ｎｍから８００ｎｍの赤外光を通過させる赤外蛍光用エキサイタフィルタ１１８、赤外光カット可視光透過フィルタ１１９のいずれかが挿入される。
【００３５】
被検眼１の眼底１ａからの反射光は、再び瞳１ｂの中心部を通過して対物レンズ１２３を介して受光され、穴あき全反射ミラー１２２の穴を通過し、撮影光学系の光路に配置された撮影絞り１２４、フォーカスレンズ１２５、１２６を通過する。このフォーカスレンズ１２６は、光軸に沿って移動可能で被検眼視度の個体差による眼底結像位置のずれを補正する。眼底像は、続いて結像レンズ１２７を通過してリターンミラー１３０に入射する。結像レンズ１２７は、倍率の異なる結像レンズ１２８と交換できこれにより変倍機構を構成している。また、この撮影光路で撮影絞り１２４とフォーカスレンズ１２５の間に、可視蛍光撮影時、眼底からの可視蛍光を透過させるためにバリアフィルタ１４２が挿入される。
【００３６】
リターンミラー１３０で反射された眼底からの光束は、リターンミラー１３１で反射され肉眼観察光学系を構成する接眼レンズ（ファインダ）１３２に入射するので、検者は接眼レンズ１３２を介して眼底像を観察することができる。また、赤外透過フィルタ１０６を挿入し、リターンミラー１３１が跳ね上がって光路より離脱すると、眼底像は、フィールドレンズ１５４、視野絞り１５５を介してリターンミラー１３３で反射され、結像レンズ１３４により赤外光に感度を有する撮像手段としての赤外ＣＣＤ１３５に入射する。
【００３７】
視野絞り１５５の近傍には、眼底像が結像され、この眼底像が、結像レンズ１３４により観察手段としての赤外ＣＣＤ１３５に再結像される。そして、この眼底像は、ファイリング装置１５０の切替回路１５２を介してモニタ１４０に表示されるとともに、記録装置１５３にも記録される。また、赤外ＣＣＤ１３５の眼底像は、本体１００に内蔵されたモニタ１４１にも表示されるので、検者はモニタ１４０、モニタ１４１などで眼底を観察して、アライメントや焦点合わせを行うことができる。
【００３８】
また、リターンミラー１３１とフィールドレンズ１５４間の光路には、赤外蛍光撮影時、８２０ｎｍから９００ｎｍの赤外光を透過させる赤外蛍光用バリアフィルタ１４３が挿入できるようになっている。
【００３９】
リターンミラー１３３が跳ね上がって光路から離脱すると、眼底像は、ビデオアダプタ１６０に入射し、そこの結像レンズ１６１を通過してダイクロイックミラー１６２に入射し、このダイクロイックミラー１６２により可視光と赤外光が分離される。可視光の眼底像は、結像レンズ１６１により視野絞り１６３の近傍に結像され、この視野絞り１６３の眼底像が、結像レンズ１６６により可視光に感度を有する撮像手段としてのカラーＣＣＤ１３６に再結像される。一方、赤外光の眼底像は、結像レンズ１６１により赤外光に感度を有する撮像手段としての赤外ＣＣＤ１３７に結像される。
【００４０】
また、立体撮影時には、図５に示したように、２孔絞り１６７と分割プリズム１６８から構成される光束分割素子がカラーＣＣＤ１３６に至る光路に挿入される。この場合、２孔絞り１６７の挿入位置は、実施例１と同様に、被検眼前眼部１ｂと共役な位置の近傍となるように設定される。また、２孔絞り１６７と分割プリズム１６８の光路への挿入に連動して、低倍率の結像レンズ１６６が高倍率の結像レンズ１６５と入れ替えられるとともに、立体用視野絞り１６４が視野絞り１６３に近接して挿入される。
【００４１】
視野絞り１６３は、実施例１の視野絞り３５と同様であり、図６（Ａ）に示したように、遮光部１６３ａと円形の開口部１６３ｂから構成されており、立体用視野絞り１６４は、図６（Ｂ）に示すように、遮光部１６４ａと、視野絞り１６３の円形開口部１６３ｂより小さな矩形開口部１６４ｂとからなっている。また、２孔絞り１６７は、実施例１の２孔絞り５０と同様であり、図６（Ｃ）に示したように、２つの開口部１６７ａと１６７ｂを有する複数開口絞りであり、また分割プリズム１６８は、実施例１の分割プリズム５１と同様である。
【００４２】
このような構成で、対物レンズ１２３、フォーカスレンズ１２５、１２６、変倍レンズ１２７（１２８）、フィールドレンズ１５４などで構成される光学系（第１の光学系）により視野絞り１５５の近傍に結像された眼底像は、リターンミラー１３３で反射されて結像レンズ１３４（第３の光学系）により観察手段としての赤外ＣＣＤ１３５に再結像され、それにより検者は、モニタ１４１などで眼底像を観察し、アライメントや合焦操作を行うことができる。また、視野絞り１５５の近傍に結像された眼底像は、結像レンズ１６１、倍率の異なる結像レンズ１６５、１６６などで構成される光学系（第２の光学系）によりカラーＣＣＤ１３６に再結像され、眼底像が撮影される。
【００４３】
この場合、カラーＣＣＤ１３６で撮像された眼底像は、ダイクロイックミラー１６２で反射された像であるので、赤外ＣＣＤ１３７で撮像された眼底の反転像となっている。従って、ファイリング装置１５０に画像反転回路１５１を設け、この画像反転回路１５１により、カラーＣＣＤ１３６と赤外ＣＣＤ１３７からのいずれかの像を反転処理して観察画像と撮影画像の上下が一致するように画像処理する。これらのＣＣＤ１３６、１３７は撮影時ストロボ１０３の発光により得られる眼底像を撮像するので、モニタ１４０には、切替回路１５２を介して眼底の静止画像が表示される。また、ファイリング装置１５０には、記録装置１５３が設けられ、ＣＣＤ１３６、１３７で撮像された眼底画像が記録装置１５３に記録できるようになっている。
【００４４】
また、リターンミラー１３０が跳ね上がって光路から離脱する時には、眼底画像が３５ｍｍフィルムのような写真フィルム１４４に撮影できるようになっている。この写真フィルムの代わりにカラーＣＣＤ１３６と同等な撮像素子を用いて眼底像を撮影することもできる。
【００４５】
このように構成された眼科撮影装置では、散瞳撮影、無散瞳撮影、可視蛍光撮影、赤外蛍光撮影の各撮影モードでの撮影が可能であり、通常のカラー撮影は散瞳撮影あるいは無散瞳撮影で行われ、立体撮影が可能となっている。
【００４６】
散瞳撮影の場合には、赤外透過フィルタ１０６は光路から離脱され、標準リングスリット１１１あるいは小瞳孔用リングスリット１１２と、スルーのフィルタ１１６が光路に挿入される。リターンミラー１３０、１３１、１３３は図示の位置を占めており、検者は接眼レンズ１３２で眼底を観察して、アライメント、焦点合わせなどの位置合わせを行って、シャッターボタン（不図示）を操作する。その操作に連動して、ストロボ１０３が発光し、そのときリターンミラー１３０が光路から離脱するので、眼底像がフィルム１４４に撮影される。あるいは、撮影時リターンミラー１３０を図示の位置に、またリターンミラー１３１、１３３を光路から離脱させ、カラーＣＣＤ１３６により眼底を撮影することもできる。
【００４７】
無散瞳撮影の場合には、赤外透過フィルタ１０６が挿入され、小瞳孔用リングスリット１１２が光路に挿入される。またリターンミラー１３１が跳ね上がって光路から離脱され、観察時には、赤外ＣＣＤ１３５によるモニタ１４０あるいは１４１での観察になるところが、散瞳撮影時と相違するところである。
【００４８】
可視蛍光撮影のときは、標準あるいは小瞳孔用リングスリット１１１、１１２、可視蛍光用エキサイタフィルタ１１７が光路に挿入されて、赤外ＣＣＤ１３５又は接眼レンズ１３２で観察が行われ、また、撮影時は、可視蛍光用バリアフィルタ１４２が光路に挿入されて、可視蛍光像の発生に合わせて、ストロボ１０３が発光され、可視蛍光像が３５ｍｍフィルム１４４により撮影される。なお、可視蛍光像を、カラーＣＣＤ１３６で撮像する場合には、リターンミラー１３０を光路に挿入し、リターンミラー１３１、１３３を光路から離脱させるようにする。
【００４９】
赤外蛍光撮影のときは、蛍光用リングスリット１１３と赤外蛍光用エキサイタフィルタ１１８が光路に挿入されて、赤外ＣＣＤ１３５を用いて観察が行われ、撮影時は、赤外蛍光用バリアフィルタ１４３が挿入され、赤外蛍光像の発生に合わせて、シャッターボタンが操作される。それにより、ストロボ１０３が発光され、リターンミラー１３３が跳ね上がるので、赤外蛍光像がダイクロイックミラー１６２を透過して赤外蛍光像が赤外ＣＣＤ１３７により撮像される。
【００５０】
以上は、単眼撮影の場合であるが、立体撮影の場合は、図５に示したように、２孔絞り１６７と分割プリズム１６８が光路に挿入され、それに連動して、立体視用の照明絞り１１４と赤外カット可視光透過フィルタ１１９が光路に挿入されるとともに、それまで光路に挿入されていた結像レンズ１６６がそれより高倍率の結像レンズ１６５に入れ替えられるとともに、立体用視野絞り１６４が視野絞り１６３に近接して光路に挿入される。
【００５１】
この立体撮影は、カラーＣＣＤ１３６により撮影が行われるとき、すなわち、散瞳、無散瞳撮影、並びに可視蛍光撮影時に可能となり、カラーＣＣＤ１３６により、光束分割素子１６７、１６８で分離された立体視用の左右眼底像が一回の撮影で取得される。このとき、立体用視野絞り１６４の矩形開口部１６４ｂは、実施例１と同様に、眼底像がカラーＣＣＤ１３６に結像されたとき、開口部１６４ｂの像が撮像範囲の約半分の大きさになるような大きさに設定されるので、図２の右上のＡ’に示したような立体視用の左右眼底像１ｃ、１ｄが撮影され、それがファイリング装置１５０の記録装置１５３に記録される。このように、一回の撮影で立体視に必要な２枚の画像が得られるので、撮影のスピードアップ、被検眼縮瞳の防止が向上するとともに、単眼撮影時と同じ撮像素子１３６を使い、単眼撮影時１枚である画面を２分割して２枚の画像（１ｃ、１ｄ）を１枚の画像データとして単眼撮影時と同様に記録保存できるので、効率的な画像管理が行える。
【００５２】
また、分割プリズム１６８で分割された左右の各光路には、レンズを設けることなく、眼底像を撮像手段１３６に結像できるので、安価な構成になるとともに、光学調整が簡単になるという効果も得られる。
【００５３】
なお、実施例１と同様に、２孔絞り１６７と分割プリズム１６８の光路への挿入に連動して、固視視標（不図示）の投影位置を変えたり、撮影絞り１２４の開口を変化する（小さくする）ようにする。また、実施例１と同様に、２孔絞り１６７又は分割プリズム１６８が光路に挿入されたかどうかを、眼底像の画像情報に関連して記憶装置１５３に記録保存するようにする。
【図面の簡単な説明】
【００５４】
【図１】眼科撮影装置の第１の実施例の構成を示す光学図である。
【図２】第１の実施例で立体撮影時の光学配置を示した光学図である。
【図３】（Ａ）は、第１の実施例における視野絞りの構成を示した構成図、（Ｂ）は、立体用視野絞りの構成図、（Ｃ）は２孔絞りの構成図である。
【図４】眼科撮影装置の第２の実施例の構成を示す光学図である。
【図５】第２の実施例で立体撮影時の光学配置を示した光学図である。
【図６】（Ａ）は、第２の実施例における視野絞りの構成を示した構成図、（Ｂ）は、立体用視野絞りの構成図、（Ｃ）は２孔絞りの構成図である。
【符号の説明】
【００５５】
３１  撮影絞り
３５  視野絞り
３９  立体用視野絞り
４７ａ、４７ｂ  変倍レンズ
５０  ２孔絞り
５１  分割プリズム
１５５、１６３  視野絞り
１６４  立体用視野絞り
１６７  ２孔絞り
１６８  分割プリズム
【図１】
2006075449.tif 000003
【図２】
2006075449.tif 000004
【図３】
2006075449.tif 000005
【図４】
2006075449.tif 000006
【図５】
2006075449.tif 000007
【図６】
2006075449.tif 000008